(57)【要約】【課題】本体上部の側部周囲に金属カバーを被嵌することによって、火事による焼失、刈払機による切断を防止して長期保存維持を可能とする側部カバーを備えた杭を提供する。【解決手段】杭本体の上端面を露出させた状態で、本体上部の側部周囲に金属カバー５を被嵌した。あるいは、頭部３と胴部２を別体として分離形成し、頭部３と胴部２にそれぞれ金属カバー５係止用の段差６，７を形成し、頭部３と胴部２を結合する際に、その段差６，７の間に金属カバー５の上下を挟み込んだ状態で一体結合した。【選択図】        図１
2004233165.tif 000002
【特許請求の範囲】
【請求項１】
杭本体の上端面を露出させた状態で、本体上部の側部周囲に金属カバーを被嵌したことを特徴とする側部カバーを備えた杭。
【請求項２】
合成樹脂製の本体の上下に段差を形成して、その段差の間の一段低くなった部分に金属カバーを嵌着させたことを特徴とする側部カバーを備えた杭。
【請求項３】
射出成型用の型枠内に筒状の金属カバーを装填し、型枠内に溶融樹脂を注入し、射出成型により一体形成したことを特徴とする請求項１又は２記載の側部カバーを備えた杭。
【請求項４】
頭部と胴部を別体として分離形成し、頭部と胴部にそれぞれ金属カバー係止用の段差を形成し、頭部と胴部を結合する際に、その段差の間に金属カバーの上下を挟み込んだ状態で一体結合したことを特徴とする請求項１又は２記載の側部カバーを備えた杭。
【請求項５】
金属カバーの内周に、杭本体の外周に圧接する凸部を形成し、上部から金属カバーを押し込むことにより圧着接合したことを特徴とする請求項１記載の側部カバーを備えた杭。
【請求項６】
前記金属カバーをアルミニウム、ステンレス等の抗腐食性の金属で構成したことを特徴とする請求項１又は２記載の側部カバーを備えた杭。
【請求項７】
前記金属カバーに代えてセラミック製カバーを使用することを特徴とする請求項１〜６いずれか記載の側部カバーを備えた杭。
【発明の詳細な説明】
【０００１】
【発明の属する技術分野】
本発明は、筆境の境界、あるいは測量点等に打設する杭に関する。
【０００２】
【従来の技術】
従来より、土地の境界、あるいは測量点に杭を打設して、地表に頭部を露出させてその地点を明確にしている。
そして、合成樹脂製の境界杭は軽くて強度があり、しかも朽壊しないため木、コンクリート、石あるいは金属製の杭に代って山林や都市等の境界表示や測量標点その他に広く使用されている。
このような、境界杭に関する技術として特開平２００２−３６５０５６号公報記載の技術が知られている。
【０００３】
【特許文献１】
特開平２００２−３６５０５６号公報記載
【０００４】
【発明が解決しようとする課題】
しかしながら、合成樹脂製の境界杭、測量杭は耐熱性に乏しく、山火事等によって焼失するおそれがあるため、永久的保存が要求される測量杭あるいは境界杭には使用し難いという問題があった。
また、林地での地ごしらえ、下刈り作業、農地、果樹園、ゴルフ場、堤防などの草刈りでは小型エンジンを搭載した刈払機が使用されている。
この刈払機は長軸先端の円形のこぎりを高速回転させて、低木、かん木、草類を刈り払い切断する機械であるが、山林に打設した境界杭、測量杭は、雑草や草木と共に、この刈払機によって切断されるおそれがある。
本発明は上記の従来例の問題点に鑑みて発明したものであって、その目的とするところは、本体上部の側部周囲に金属カバーを被嵌することによって、火事による焼失、刈払機による切断を防止して長期保存維持を可能とする側部カバーを備えた杭を提供することにある。
【０００５】
【課題を解決するための手段】
前記目的を達成するための手段として請求項１記載の側部カバーを備えた杭では、杭本体の上端面を露出させた状態で、本体上部の側部周囲に金属カバーを被嵌した。
【０００６】
請求項２記載の側部カバーを備えた杭では、合成樹脂製の本体の上下に段差を形成して、その段差の間の一段低くなった部分にカバーを嵌着させた。
【０００７】
請求項３記載の側部カバーを備えた杭では、請求項１又は２記載の側部カバーを備えた杭において、射出成型用の型枠内に筒状の金属カバーを装填し、型枠内に溶融樹脂を注入し、射出成型により一体形成した。
【０００８】
請求項４記載の側部カバーを備えた杭では、請求項１又は２記載の側部カバーを備えた杭において、頭部と胴部を別体として分離形成し、頭部と胴部にそれぞれ金属カバー係止用の段差を形成し、頭部と胴部を結合する際に、その段差の間に金属カバーの上下を挟み込んだ状態で一体結合した。
【０００９】
請求項５記載の側部カバーを備えた杭では、請求項１記載の側部カバーを備えた杭において、金属カバーの内周に、杭本体の外周に圧接する凸部を形成し、上部から金属カバーを押し込むことにより圧着接合した。
【００１０】
請求項６記載の側部カバーを備えた杭では、請求項１記載の側部カバーを備えた杭において、前記金属カバーをアルミニウム、ステンレス等の抗腐食性の金属で構成した。
【００１１】
請求項７記載の側部カバーを備えた杭では、請求項１〜６いずれか記載の側部カバーを備えた杭において、前記金属カバーに代えてセラミック製カバーを使用した。
【００１２】
【発明の実施の形態】
以下、図面に基づいて本発明の実施の形態を説明する。
図１は本発明の第１実施形態に係る杭の斜視図、図２は第１実施の形態に係る杭の断面図である。
本発明の杭Ａは図１に示すように、土地の境界や基準点に設置されるものであって、尖った先端１と、胴部２と、四角柱（矩形状）の頭部３とを有し、胴部２にはリブ４が形成されて補強処理がなされている。
長さについては数十センチ〜１ｍ超各種設定されている。
杭Ａの先端１、胴部２及び頭部３はポリエチレン等の合成樹脂によって構成され、頭部３の上端面には矢印、記号、文字等が刻印されている。
杭Ａの材質としては、ポリエチレンの他、ポリプロピレン、ポリエステル、スチロール、ポリアミド、ポリスルホン等の主として熱可逆性合成樹脂の単独、もしくは混合物が用いられる。
杭Ａの上部形状は円柱状、角柱状などのようにどのような形状でも構わない。
【００１３】
本実施の形態ではＡ杭の長さは５０ｃｍであり、その杭Ａの上部に長さ１０ｃｍ前後の金属カバー５が取付けられている。
この金属カバー５は厚さ１ｍｍ前後、長さ１００ｍｍ前後のアルミ製の筒状部材であり、角柱に対応する筒部が形成され、この筒部が杭Ａの角柱の上部外周に嵌着している。
この金属カバーＡは、胴部２と頭部３に渡って被嵌されており、刈払機による切断、あるいは火事による焼失を防止する。金属カバー５の長さは杭の長さ、または地表に露出する頭部の長さによって任意に設定可能である。
【００１４】
頭部３は上端部外周が水平方向に突起して段差６が形成され、胴部２の上部外周にも段差７が形成されている。この段差６、７に挟まれた部分は外周径が細くなり、一段低い幅広の溝８が形成された状態となり、この溝８に金属カバー５が嵌着して本体と一体となっている。
この段差６、７は金属カバーの厚さに相応するものであり、１ｍｍ程度の深さとなっている。
このような、段差６、７の部分に嵌着していることにより、上下のずれが防止されて金属カバー５が一体保持される。
【００１５】
次に、本発明の杭Ａの製造方法について説明する。
一例として、射出成型によって製造する。
この射出成型は、杭の形状の空所（キャビティー）を彫った金型を閉じておき、金型内の一端から溶融プラスチックを注入する方法によるものである。
金型内には予め金属カバー５を装填しておき、溶融プラスチックを注入すると、溶融プラスチックの内部圧力の上昇に伴って、金型内及び金属カバー４内に溶融プラスチックが充填される。固形化後、金型を開き成型品（杭）を取出す。
尚、金型内に、頭部３と金属カバー５を装填しておき、胴部のみを射出成型によることも可能である。この場合には、頭部３には空気の抜け孔を形成しておき、反対側から溶融プラスチックを注入すると、内部に樹脂が詰まって成型される。
【００１６】
また、樹脂製の頭部３と胴部２を予め成型しておき、それらを結合して杭を製造し、その組み立て時に金属カバー５を装着する方法としても良い。
この方法では、頭部３と胴部２を別体として分離形成し、頭部３と胴部２にそれぞれ金属カバー５係止用の段差を形成し、頭部３と胴部２を結合する際に、その段差の間に金属カバー５の上下を挟み込んだ状態で一体結合する。
この方法により、本体の上下に段差を形成して、その段差によって一段低くなった部分にカバーが嵌着されて、確実に保持される。
【００１７】
次に、図３は第２実施形態に係る杭Ｂの断面図である。
第２実施形態に係る杭Ｂは上部の四角柱の外周に金属カバー１０を嵌着させたものである。
筒状の金属カバー１０の内周をやや杭頭部よりも広めに形成し、その内周に、杭本体の外周に圧接する凸部１１を形成している。そして、金属カバー１０を杭Ｂの上部から押し込むことにより、凸部１１が杭Ｂの外周に圧着して結合する。
【００１８】
以上、本発明の実施の形態を説明してきたが、本発明の具体的な構成は本実施の形態に限定されるものではなく、発明の要旨を逸脱しない範囲の設計変更等があっても本発明に含まれる。
例えば前記実施の形態では、金属カバーについて説明したが、セラミック製カバーを使用する場合であっても同一の作用効果が得られる。
【００１９】
【発明の効果】
以上のように本発明の杭は金属カバーを側部に嵌着させたので、刈払機による頭部の切断、山火事による焼失を防止することができる。
また、上端面が露出する構成であるので、上端面の印、記号、文字等の表示が確保され、さらに、杭打込時に金属カバーが変形するおそれが無い。
そして、射出成型により一体形成することによって、金属カバーを備えた杭を容易に製造することができる。
また、頭部と胴部を別体として分離形成し、頭部と胴部にそれぞれ金属カバー係止用の段差を形成し、頭部と胴部を結合する際に、その段差の間に金属カバーの上下を挟み込んだ状態で一体結合することにより、用途に合わせて頭部を選択して容易に製造することができる。
【図面の簡単な説明】
【図１】第１実施形態に係る側部カバーを備えた杭の斜視図である。
【図２】第１実施形態に係る側部カバーを備えた杭の断面図である。
【図３】第２実施形態に係る側部カバーを備えた杭の断面図である。
【符号の説明】
１  先端
２  胴部
３  頭部
５  金属カバー
６  段差
７  段差
８  溝
１０  金属カバー
１１  凸部
【図１】
2004233165.tif 000003
【図２】
2004233165.tif 000004
【図３】
2004233165.tif 000005